(57)【特許請求の範囲】
【請求項１】
情報支持体を選択的に印を付けたい物体（８）に取り付けるか又は印を付けたい物体（８）から取り外す装置であって、
前記装置は平らに形成された支持部材（１０）を有し、該支持部材（１０）において、前記情報支持体（１）の支持面（３）の接触が可能であり、かつ前記情報支持体（１）の磁気による付着が可能であり、
前記装置の支持部材（１０）は旋回可能であり、
前記装置の支持部材（１０）は、相前後している２つの個別部材から成っていて、
第１の個別部材（１１）が、前記情報支持体（１）の支持面（３）に対する直接的な接触部を有し、かつ磁化可能でない材料から成っていて、
前記第１の個別部材（１１）の後方にある第２の個別部材（１２）は、磁化可能である材料から成っている、情報支持体を選択的に取り付けるか又は取り外す装置において、
前記支持部材（１０）の第２の個別部材（１２）は、前記第１の個別部材（１１）から離れるように旋回可能であることを特徴とする、情報支持体を選択的に取り付けるか又は取り外す装置。
【請求項２】
請求項１記載の情報支持体を選択的に取り付けるか又は取り外す装置に、選択的に取り付けられるか又は取り外される情報支持体であって、
前記情報支持体（１）は、少なくとも１つの接触面（２）を有し、該接触面（２）は、前記印を付けたい物体（８）における前記情報支持体（１）の磁気による付着により、前記印を付けたい物体（８）の表面（９）に接触可能であり、
前記情報支持体（１）は、前記接触面（２）に続いている非接触面（４）を有し、該非接触面（４）は前記表面（９）と共に所定の角度αを形成する情報支持体において、
前記情報支持体（１）は、磁気によって前記支持部材（１０）に付着される、前記接触面（２）に対して背面側に配設されている支持面（３）を有しており、
前記情報支持体（１）が前記印を付けたい物体（８）に取り付けられた状態で、前記支持面（３）の、前記非接触面（４）に対応する部分に前記印を付けたい物体（８）に向かって力が加えられるとき、前記情報支持体（１）が前記角度αを減じる方向に傾動するように、前記非接触面（４）は形成されていることを特徴とする、情報支持体。
【請求項３】
前記接触面（２）における磁界強度が、前記支持面（３）における磁界強度よりも大きいように、前記情報支持体（１）内に磁石（５）が組み込まれていて、前記支持面（３）における磁界強度は、前記非接触面（４）における磁界強度よりも大きいことを特徴とする、請求項２記載の情報支持体。
【請求項４】
前記情報支持体（１）は複数の磁石（５，６）を有することを特徴とする、請求項２又は３記載の情報支持体。
【請求項５】
前記情報支持体（１）は円形のディスクとして形成されていて、前記非接触面（４）は、前記円形のディスクに対応して、円形で環状の面取り部として前記接触面（２）のエッジに沿って延在していることを特徴とする、請求項２から４までのいずれか１項記載の情報支持体。
【請求項６】
前記情報支持体（１）は多角形のディスクとして形成されていて、前記非接触面（４）は円形で環状の面取り部として、前記接触面（２）のエッジに沿って延在していて、前記接触面（２）は円形を形成するか、又は
前記非接触面（４）は、前記多角形のディスクに対応して、前記多角形の各区分において面取り部として設けられていて、前記接触面（２）は、前記多角形に対応する形状を形成することを特徴とする、請求項２から４までのいずれか１項記載の情報支持体。
【請求項７】
前記非接触面（４）は、前記情報支持体（１）の直径に沿った垂直な断面に関して、円形の、楕円の又は双曲的な丸み付け部として、前記接触面（２）に続くように形成されていることを特徴とする、請求項２から６までのいずれか１項記載の情報支持体。
【請求項８】
請求項１に記載の装置を介した情報支持体の、印を付けたい物体（８）への取付け方法であって、該方法において、
前記情報支持体（１）の支持面（３）は、装置の前記支持部材（１０）に磁気により付着していて、
前記情報支持体（１）を、前記装置を介して、印を付けたい物体（８）へ移動させ、
前記情報支持体（１）の接触面（２）を、前記印を付けたい物体（８）の表面（９）に接触させ、
前記情報支持体（１）と前記印を付けたい物体（８）との間の磁気吸引力が、前記情報支持体（１）と前記支持部材（１０）との間の磁気吸引力よりも大きく、
前記印を付けたい物体（８）から前記装置を取り外す際に、前記情報支持体（１）は、前記印を付けたい物体（８）に磁気により付着したままであることを特徴とする、装置を介した情報支持体の取付け方法。
【請求項９】
前記情報支持体（１）と前記印を付けたい物体（８）との接触後に、前記装置の支持部材（１０）の第２の個別部材（１２）を、第１の個別部材（１１）から離れるように旋回させ、これにより、前記情報支持体（１）と前記支持部材（１０）との間の磁気吸引力を減じることを特徴とする、請求項８記載の方法。
【請求項１０】
請求項１記載の装置を介した情報支持体の、印を付けたい物体（８）からの取外し方法であって、
前記装置の支持部材（１０）を、前記情報支持体（１）の非接触面（４）の傾きに対向して旋回させ、
前記支持部材（１０）は、前記支持面（３）に対してほぼ所定の角度α’を形成し、
前記装置を前記情報支持体（１）に案内し、前記旋回された支持部材（１０）を介して、前記情報支持体（１）を、前記非接触面（４）と前記印を付けたい物体（８）の表面（９）との間の角度αを減じるように傾動させ、
前記情報支持体（１）の支持面（３）を、前記装置の支持部材（１０）に面接触させ、
前記情報支持体（１）と前記支持部材（１０）との間の磁気吸引力が、前記情報支持体（１）と前記印を付けたい物体（８）との間の磁気吸引力よりも大きく、
前記印を付けたい物体（８）から前記装置を取り外す際に、前記情報支持体（１）は、前記装置の支持部材（１０）に磁気により付着したままであることを特徴とする、装置を介した情報支持体の取外し方法。
【発明の詳細な説明】
【技術分野】
【０００１】
本発明は、独立請求項１の上位概念部に記載した、印を付けたい物体に取り付ける情報支持体に関する。
【０００２】
上記情報支持体は、物体に印を付けるためか又は情報を備え付けるために必要である。物体への繰り返しの印付けを可能にするために、情報は物体から再び可逆的に取り外し可能であることが望ましい。情報支持体における情報の蓄積或いは保存は、種々異なるバリエーションにおいて可能である。したがって、情報は、例えば文字、記号、色彩又はバーコードとして視覚的に、又はＲＦＩＤによる形式で電子的に情報支持体に蓄積させることができる。
【０００３】
目的の提示
本発明の根底にある目的は、情報支持体を、人間による介入なしで単純な機械的装置により物体に取り付けることができ、かつ単純な機械的装置によって上記物体から取り外すことができるように、情報支持体を形成することである。
【０００４】
上記目的は、独立請求項１に記載した特徴により達成される。
【０００５】
本発明の有利な構成は、従属請求項に記載されている。
【０００６】
本発明は、情報を蓄積しかつ一時的に物体に取り付けることに適した情報支持体である。この構成において、情報は種々異なる形式において情報支持体に蓄積することができる。したがって、情報支持体の色彩豊かな形態による簡単な視覚的な印付けが可能である。文字、数字又はその他の記号での情報支持体の標識化により、情報支持体における情報の表示を同様に行うことができる。情報支持体において、バーコードの形式で記録されたデータも可能である。
【０００７】
情報を光学的な検出のために情報支持体に記録する可能な構成の他に、情報支持体に情報を記録するための選択的な電子的構成もある。有利な構成において、ＲＦＩＤ−タグの取付けが避けられるか、又は情報支持体における、記録したデータの非接触式の検出を可能にする構成が避けられる。
【０００８】
本発明によれば、印を付けたい物体への情報支持体の取付けは、磁気による付着により行われる。さらに、印を付けたい物体は、少なくとも部分的に磁化可能な材料から成っていることが必要である。情報支持体にある少なくとも１つの磁石により、情報支持体と、印を付けたい物体との間に磁気的な力作用がもたらされる。したがって、印を付けたい物体における情報支持体の磁気による付着が可能である。
【０００９】
好適な構成において、情報支持体は接触面を有する。この接触面において情報支持体は、印を付けたい物体の表面に対して接するように接触可能である。情報支持体にある磁石は、情報支持体の接触面に磁界をもたらす。これにより、接触面における磁気による付着が可能になる。
【００１０】
本発明によれば、情報支持体は、接触面に対して平行であり、かつ情報支持体の相対する面において延びている別の面を有する。接触面においてのように、支持面においても、情報支持体内にある磁石により発生する磁界が存在する。
【００１１】
特別な構成において、接触面における磁界強度は、支持面における磁界強度よりも大きい。２つの面にある磁界強度におけるこの相違は、情報支持体における磁石の適切な位置決めにより形成することができる。したがって、磁石の位置決めは２つの面の間の中心線上ではなく、接触面の近くにおいてが考慮され得る。
【００１２】
別の有利な改良形において、複数の磁石が情報支持体内に組み込まれている。強力な磁石又は多数の磁石が接触面の近くに配置されていて、弱い磁石又は小数の磁石が支持面の近くに配置されている。この改良形により、本発明に係る、種々異なる磁界強度が、接触面及び支持面に形成可能である。
【００１３】
本発明によれば、情報支持体は接触面及び支持面の他に、さらに非接触面を有する。この非接触面は、角度を成して接触面に続き、かつ支持面に向かって延びる。情報支持体における磁石は、非接触面における磁界強度が、支持面における磁界強度よりも小さいように配置することができる。
【００１４】
印を付けたい物体における情報支持体の取付け及び取外しのために、簡単な取付け及び取外しを可能にする装置が設けられている。この装置は、情報支持体の支持面と面接触可能であるように形成されている支持部材を有する。この構成において、装置の支持部材は、少なくとも部分的に磁化可能な材料から成っていて、これにより情報支持体の支持面における磁界が、情報支持体と支持部材との間の磁気吸引力を可能にし、かつ付着を可能にする。
【００１５】
本発明に係るさらに別の構成において、支持部材は、装置に可動に取り付けられている。支持部材はほぼ、情報支持体の非接触面が、情報支持体が磁気により付着している印を付けたい物体の表面との間に形成する角度だけ傾動することができるようになっている。
【００１６】
上記装置により、印を付けたい物体への情報支持体の取付けが可能である。このために情報支持体は、支持面における磁界から生じる磁力により、支持面でもって、装置の支持部材に付着する。装置は、付着している情報支持体と共に、印を付けたい物体へと運動し、情報支持体の接触面が、印を付けたい物体の表面に接触している。情報支持体の接触面における磁界は、情報支持体と、印を付けたい物体の表面との間の磁気吸引力をもたらす。情報支持体の支持面及び接触面における磁界強度差に基づき、情報支持体と物体との間に発生する磁力は、情報支持体と装置との間に発生する磁力よりも大きい。印を付けたい物体から離れるような装置の運動時には、情報支持体は印を付けたい物体に磁気により付着したままである。
【００１７】
特別な構成において、装置の支持部材は、２つの種々異なる部材から成っている。情報支持体の支持面に対して直接的に接触している前側の個別部材はディスクとして形成されていて、例えばプラスチックといった磁化可能でない材料から成っている。この個別部材の直ぐ後方に配置されている第２の個別部材は、磁化可能な材料から成っていて、第１の個別部材から離れるように旋回可能に取り付けられている。第１の個別部材は、この第１の個別部材と情報支持体の支持面との接触時に、第２の個別部材に対する磁性的相互作用が防がれない程度に肉薄に構成することができる。
【００１８】
印を付けたい物体への情報支持体の取付け工程において、支持面と支持部材との接触後に、第２の個別部材は第１の個別部材から離れるように旋回させられる。これにより生じる、情報支持体と、支持部材の磁化可能な個別部材との間の大きな間隔により、情報支持体と支持部材との間の磁力は減じられる。したがって、印を付けたい物体からの装置の取外しが可能であり、情報支持体は、印を付けたい物体の表面に磁気により残る。
【００１９】
印を付けたい物体から情報支持体を取り外すために、支持部材は装置において傾動する。この構成において、傾動角度は、非接触面が接触面に対して反対の回動方向においてだが形成する角度にほぼ相当する。傾動した支持部材を備えた装置は、次いで印を付けたい物体における情報支持体において運動し、支持部材が、情報支持体の支持面に非接触面の領域において接触する。印を付けたい物体に支持部材がさらに接近することにより、支持部材はてこ作用を介して、接触面における磁力に抗する情報支持体の傾動をもたらすので、接触面の代わりに、非接触面が印を付けたい物体の表面に接触する。同じ工程において、情報支持体の支持面は支持部材に接触する。情報支持体の非接触面及び支持面における磁界強度差に基づいて、情報支持体と支持部材との間で生じる磁力は、情報支持体と印を付けたい物体との間で生じる磁力よりも大きい。印を付けたい物体から離れる装置の運動時に、情報支持体は支持部材に磁気により付着したままであり、印を付けたい物体から取り外すことができる。
【００２０】
さらに別の構成において、非接触面を、接触面に続いている円形、楕円形又は双曲的な丸み付け部として形成するようになっていてよい。これにより情報支持体の支持面は、印を付けたい物体からの取外し時に、傾動運動によってではなく、情報支持体の非接触面への転動運動により、支持部材と接触させられる。
【００２１】
さらに別の好適な構成において、情報支持体は、接触面である前面と、支持面である背面とを有する円形のディスクとして構成されている。非接触面は、全周に亘って延在する、接触面への斜面として形成されている。この構成は、とりわけ、情報支持体ひいては非接触面の配向は、印を付けたい物体への取付け及び印を付けたい物体からの取外しのために問題とならないので有利である。
【００２２】
情報支持体のさらに別の好適な構成は多角形である。この構成において、非接触面は、円形で全周に亘って延びている斜面として形成され得るので、接触面は円を形成するか、又は非接触面は、多角形の各区分における個々の斜面として形成され得るので、接触面は多角形に応じた形状を形成する。
【００２３】
本発明の別の構成は、従属請求項に記載されている。
【図面の簡単な説明】
【００２４】
【図１】情報支持体の立体図である。
【図２】情報支持体の立体図である。
【図３ａ】情報支持体を物体に取り付ける工程を示す断面図である。
【図３ｂ】情報支持体を物体に取り付ける工程を示す断面図である。
【図３ｃ】情報支持体を物体に取り付ける工程を示す断面図である。
【図３ｄ】情報支持体を物体に取り付ける工程を示す断面図である。
【図４ａ】情報支持体を物体から取り外す工程を示す図である。
【図４ｂ】情報支持体を物体から取り外す工程を示す図である。
【図４ｃ】情報支持体を物体から取り外す工程を示す図である。
【００２５】
本発明の実施の形態を図示し、以下に詳細に説明する。
【００２６】
図１に、情報支持体１の立体図を示す。ディスクとして形成された情報支持体は、接触面２を有する。この接触面２は、印を付けたい物体に接触するために設けられている。接触面２に磁石５が組み込まれている。この磁石５は、情報支持体と、印を付けたい物体との間に吸引力をもたらす。接触面２に、ディスク状の情報支持体１の縁部に沿って環状に、非接触面４が続いている。この非接触面４は、情報支持体１を、印を付けたい物体から取り外すために設けられている。
【００２７】
図２に、情報支持体１の立体図を示すが、接触面２の反対側から見ている。ディスク形に形成された情報支持体の、支持面３を形成する背面を看取することができる。支持面３は、情報支持体１の選択的な取付け又は取外しのための装置の支持部材１０に情報支持体１を接触させるために設けられている。支持面３には、この実施の形態において、４つの磁石６が組み込まれている。これらの磁石６により、支持部材１０における情報支持体１の磁気による付着が可能になる。
【００２８】
図３ａ〜図３ｄに、印を付けたい物体８の表面９に情報支持体１を取り付ける工程を示し、図３ａ〜図３ｄの夫々に、少なくとも部分的に磁化可能材料から成っている印を付けたい物体８と、情報支持体１と、この情報支持体を選択的に取り付けるか又は取り外すための装置の支持部材１０を見ることができる。
【００２９】
図３ａにおいて、表面９の手前に、情報支持体の取付け及び取外しのための装置に配置されている支持部材１０を示す。この支持部材１０は、磁化可能でない材料から成る第１の個別部材１１と、磁化可能な材料から成る第２の個別部材１２とから成っている。
【００３０】
情報支持体１は、第２の個別部材１２に対する磁気吸引力により支持部材１０に付着する。情報支持体１は、支持部材１０の第１の個別部材１１を支持面３に接触させる。接触面２は、印を付けたい物体８の表面９に対して平行に配置されている。符号Ａは、情報支持体１が付着している支持部材１０の運動方向を示す。
【００３１】
図３ｂは、印を付けたい物体８の表面９と、情報支持体１の接触面２との接触状態を示す。情報支持体内に組み込まれた磁石は、支持部材１２にも、物体８にも磁力を形成する。
【００３２】
図３ｃにおいて、符号Ｂは、第２の個別部材１２が、第１の個別部材１１から離れるフラップ運動（Klappbewegung）を示す。この運動により形成された、第２の個別部材１２と情報支持体１との大きな間隔により、情報支持体１と支持部材１０との間の磁気吸引力は減じられる。
【００３３】
印を付けたい物体８から離れていく支持部材１０の運動Ｃを図３ｄに示す。この実施の形態において、情報支持体１と印を付けたい物体８との間の磁気吸引力は、情報支持体１と、フラップ運動して開いた第２の個別部材１２との間の吸引力よりも大きいので、情報支持体１は表面９に残っている。
【００３４】
図４ａ〜図４ｃに、印を付けたい物体８の表面９から情報支持体１を取り去る工程を示す。図４ａ〜図４ｃの夫々に、印を付けたい物体８、情報支持体１及び情報支持体を選択的に取り付けるか又は取り外すための装置の支持部材１０を見ることができる。
【００３５】
図４ａにおいて、情報支持体１が接触面２でもって、印を付けたい物体８の表面９に磁気により付着している。情報支持体１の支持面３の側で、支持部材１０は、方向Ａ′において情報支持体１にまで運動する。支持部材１０は、この運動のために角度α′だけ傾けられる。この角度α′は、非接触面４が、印を付けたい物体８の表面９との間に（反対方向に）形成する角度αにほぼ相当する。
【００３６】
情報支持体１の方向への支持部材１０のさらなる運動Ｂ′により、支持部材１０が、非接触面４の領域において支持面３に対して力を加える。これによりもたらされる情報支持体１に対するてこの力若しくはてこの作用は、接触面２と非接触面４とが一緒に形成するエッジを中心に作用する。てこの力は、上記エッジを中心として情報支持体１のフラップ運動Ｃ′をもたらすので、角度α及びα′は小さくなる。支持部材の運動Ｂ′は、非接触面４が、印を付けたい物体８の表面９に接触し、かつ支持面３が支持部材１０と接触している状態になるまで実施される。
【００３７】
本発明により、情報支持体１と支持部材１０との間の支持面３における磁気吸引力は、磁界強度の相違に基づき、情報支持体１と印を付けたい物体８との間の非接触面４における磁気吸引力よりも大きい。
【００３８】
印を付けたい物体８から離れる支持部材１０の運動Ｄ′を、図４ｃに示す。この実施の形態において、情報支持体１は、支持部材１０に磁気により付着したままであるので、印を付けたい物体８の表面９から取り外される。
【符号の説明】
【００３９】
１  情報支持体
２  接触面
３  支持面
４  非接触面
５  磁石
６  磁石
８  物体
９  表面
１０  支持部材
１１  第１の個別部材（磁化可能でない）
１２  第２の個別部材（磁化可能である）
【図１】
0006033232.tif 000002
【図２】
0006033232.tif 000003
【図３ａ】
0006033232.tif 000004
【図３ｂ】
0006033232.tif 000005
【図３ｃ】
0006033232.tif 000006
【図３ｄ】
0006033232.tif 000007
【図４ａ】
0006033232.tif 000008
【図４ｂ】
0006033232.tif 000009
【図４ｃ】
0006033232.tif 000010